(57)【要約】【課題】  深いラフであってもラフを苦にせず打つことができるウッドクラブヘッドを提供する。【解決手段】  フェース面１下端のリーディングエッジ２をロフト角度αよりも鋭角であるエッジ角度βに形成する。翼形状のリーディングエッジ２を形成するには、リーディングエッジ２の直上部分に凹溝３を設ける、もしくはフェース面１よりも前方に突出させる。翼形状のリーディングエッジ２は、フェース面幅方向のほぼ中心位置において大きく突出し、両サイドのトー側及びヒール側のフェース面に収斂するラッセル形状とすることができる。また、ソール面は前端部分を除く中間位置から後方の面を低く形成し、リーディングエッジの直上部分と、前記低く形成したソール面部分に開口する貫通孔６を形成することもできる。【選択図】  図７
2005230230.tif 000002
【特許請求の範囲】
【請求項１】
フェース面下端のリーディングエッジ直上部分に凹溝を形成することによってリーディングエッジをロフト角度よりも鋭角であるエッジ角度の翼形状に形成したことを特徴とするゴルフ用ウッドクラブヘッド。
【請求項２】
フェース面下端のリーディングエッジを、フェース面よりも前方に突出させることによってロフト角度よりも鋭角である翼形状であるエッジ角度のリーディングエッジを形成したことを特徴とするゴルフ用ウッドクラブヘッド。
【請求項３】
フェース面から突出するリーディングエッジが、フェース面幅方向のほぼ中心位置において大きく突出し、両サイドのトー及びヒール側のフェース面に収斂するラッセル形状である請求項１又は２記載のゴルフ用ウッドクラブヘッド。
【請求項４】
ソール面に、前方から後方に向けて空気を滞留させるための複数の窪みを形成したことを特徴とする請求項１ないし３のいずれかに記載のゴルフ用ウッドクラブヘッド。
【請求項５】
ソール面は前端部分を除く中間位置から後方の面を低く形成するとともに、リーディングエッジの直上部分と、前記低く形成したソール面部分に開口する貫通孔を形成したことを特徴とする請求項１ないし３のいずれかに記載のゴルフ用ウッドクラブヘッド。
【請求項６】
前端部分より低く形成するソール面に、前後方向に複数の突状を形成したことを特徴とする請求項５記載のゴルフ用ウッドクラブヘッド。
【発明の詳細な説明】
【技術分野】
【０００１】
この発明は、ゴルフ用のクラブヘッド、特にウッドクラブヘッドの構造に関する発明である。
【背景技術】
【０００２】
深いラフに入ったゴルフボールは、ラフから出すのが困難である。したがって、従来は飛距離を犠牲にして、ショートアイアンやウエッジによってラフから脱出していた。特に初心者の場合、例えショートアイアンを使用したとしても、ラフからの脱出は容易ではなく、ゴルフプレーそのものを楽しむことができないという問題点があった。上級者においても、ロングホールや距離のあるミドルホールでは、できるだけ飛距離をかせぎ、次のショットの残り距離を少なくしたいものである。
ゴルフ用アイアンクラブヘッドとして特許文献１に開示されるように、ソール面に複数の突状を形成し、この突状を櫛のように作用させることによって、深いラフでもクラブを振り抜くことができるとする発想が提案されている。
【特許文献１】特開平５−４９７１５
【発明の開示】
【発明が解決しようとする課題】
【０００３】
従来のゴルフクラブ、特にウッドクラブヘッドは、フェース面に特殊な形状や構造を採用しないのが常であり、深いラフに入った場合はラフ(芝や草)がヘッドやシャフトに絡むとともに、クラブヘッドに作用する抵抗が大きいため、ヘッドスピードが遅くなる欠点があった。さらに、ヘッドやシャフトにラフが絡む結果軌道が安定しないため、ラフからのショットは、たとえアイアンやウエッジを使用するとしても、ラフからの脱出は容易なものではなかった。
上記、従来技術の欠点に鑑み、本発明は例え深いラフであっても、ヘッドスピードを維持するとともに、ラフそのものを苦にせずに打つことができるウッドクラブヘッドを提供することを目的とするものである。すなわち、本発明は、初心者でも簡単にラフから脱出することができるとともに、上級者においては、ヘッドスピードを落とすことなく飛距離や方向性を維持したまま、ラフから脱出することができるウッドクラブヘッドを実現することを目的とするものである。
【課題を解決するための手段】
【０００４】
上記目的を達成するため、本発明はフェース面１下端のリーディングエッジ２直上部分に、凹溝３を形成することによってリーディングエッジ２をロフト角度αよりも鋭角のエッジ角度βである翼形状に形成する。
【０００５】
前記、リーディングエッジ２をロフト角度αよりも鋭角のエッジ角度βである翼形状に形成するには、凹溝を形成するしないにかかわらずフェース面１下端のリーディングエッジ２を、フェース面よりも前方に突出させることによって、実施することもできる。この場合、リーディングエッジ２の直上部分に凹溝３を形成することによって、リーディングエッジ２のエッジ角度βをより鋭角に形成することができる。フェース面１から突出するリーディングエッジ２は、フェース面幅方向のほぼ中心位置において大きく突出し、両サイドのトー側及びヒール側のフェース面に収斂するラッセル形状とすることもできる。
【０００６】
フェース面１に鋭角のリーディングエッジ２を形成することに加え、ソール面４に前方から後方に向けて空気を滞留させるための複数の窪み５を形成することもできる。また、ソール面４は前端部分を除く中間位置から後方の面を低く形成するとともに、リーディングエッジ２の直上部分と、前記低く形成したソール面4aの後方部分に開口する貫通孔６を形成するものであってもよい。さらに前記、低く形成したソール面4aに、前後方向に複数の突状を形成することもできる。
【発明の効果】
【０００７】
請求項１記載の本発明ゴルフ用ウッドクラブヘッドによれば、アイアンもしくはアイアンよりも鋭角のリーディングエッジ２でラフを掻き分けるように作用し、ラフがヘッドに絡みつくのをできるだけ少なくすることができる。そして、リーディングエッジ２を翼形状とすることによって、スイングの際に空気の整流を行い、ラフの絡みを少なくすることと相俟ってヘッドスピードの減少をなるべく少なくすることができる。これらの相乗効果によって、ラフからウッドクラブを使用して打つことができる。
すなわち本発明では、アイアンもしくはアイアン以上のより鋭角なリーディングエッジ２でラフを掻き分けるように作用し、フェース面とボールの間にラフが介在する可能性を少なくすることができる。そして、通常のロフト角度αであるフェース面１に、直接ゴルフボールが接触する状態でゴルフボールを打つことができるため、ラフから容易に脱出しかつ十分な飛距離を得ることができるものである。
請求項２記載の発明では、リーディングエッジ２をより鋭角に、かつ空気抵抗を少なくすることができる。
【０００８】
請求項３記載の発明によれば、フェース面１の前方に突出し、ラッセル形状に形成するリーディングエッジ２によって、請求項１，２記載の発明の効果に加え、リーディングエッジ２そのものが、ラフを左右に掻き分ける作用があり、ラフ抵抗及び空気抵抗がより少ない状態でラフからゴルフボールを打つことができる。
【０００９】
請求項４記載の発明によれば、ソール面４に形成した窪みに空気が滞留し、あるいはラフの一部が窪みに逃げることによって全体として抵抗が少なくなり、ヘッドスピードの減速を少なくすることができる。また、窪みと窪みの間は突条10となるため、スイングの際のガイドとして機能し、クラブヘッドの正確な軌跡を実現する上において有効である。
【００１０】
請求項５記載の発明によれば、リーディングエッジ２によって案内されてフェース面１に当たる空気の一部を、貫通孔６を通過させて後方に逃がすため、それだけ空気抵抗が少なく、従来のものに比較してクラブヘッドのスピードが速くなる。請求項６記載の発明によれば、  前端部分より低く形成するソール面４に形成した前後方向の複数の突状11が、ガイドとして機能し正確なスイングを行うことができる。
【発明を実施するための最良の形態】
【００１１】
以下、本発明に係るゴルフ用ウッドクラブヘッドの実施形態を添付の図面に基づいて説明する。
図１ないし図３は、本発明に係るゴルフ用ウッドクラブヘッドの第一の実施形態を示すものであって、図１は斜視図、図２は底面図、図３は縦断面図である。図４ないし図７は本発明に係るゴルフ用ウッドクラブヘッドの第二の実施形態を示すものであって、図４は斜視図、図５は平面図、図６は底面図、図７は縦断面図である。
【００１２】
図１ないし図３に示す実施形態のウッドクラブヘッドは、金属製のクラブヘッドであって、図３に示すようにヘッド本体７の前面にフェース部材８を、底面にソール部材９をそれぞれ装着して中空に形成するものである。フェース面１の下端部は、リーディングエッジ２となるものであって、フェース面１下端のリーディングエッジ２直上部分に凹溝３を形成することによって、リーディングエッジ２をロフト角度αよりも鋭角であるエッジ角度βの翼形状に形成する。図示実施形態では、リーディングエッジ２をフェース面１よりも前方に突出させ、リーディングエッジのエッジ角度βをより鋭角に形成している。
フェース面１の下端はリーディングエッジ２となるものであるが、リーディングエッジ２および凹溝３は、ソール部材９の前端部分に形成している。
図１ないし図３に示す実施形態においては、ヘッド本体７、フェース部材８及びソール部材９の三つの部材によってクラブヘッドを構成しているが、フェース部材８とソール部材は一体の部材で形成し、ヘッド本体７とフェース及びソールのニ部材で構成することもできる。
【００１３】
ソール面４には、前端部分を除く中間部分から後方に向けて複数の窪み５，５を形成している。図示実施形態では、四箇所の窪みを形成する結果、三つの突条10，10が形成されている。窪み５の周囲は、空気抵抗が少なくなるように比較的大きなアールのラウンドによって、本来のソール面４に連続している。なお、ロフト角度αよりも鋭角のエッジ角度βを実現するためには、図示実施形態においてはリーディングエッジ２をフェース面１よりも突出させているが、フェース面１と同じ平面位置で、凹溝３を形成することのみによって実現することもできるが、リーディングエッジ２を前方に突出させることによって、より鋭角のリーディングエッジ２を実現することができる。
【００１４】
図１ないし図３に示す実施形態のヘッドを備えたウッドクラブを使用し、ラフからショットを行うと、鋭角に形成したリーディングエッジによって鋭く、かつ整流された空気の流れによってラフを掻き分けて倒し鋭く振り抜くことができ、ラフから正確なショットを行うことができることになる。このとき、ソール面４窪み５部分に負圧が形成され、窪み５部分と通常のソール面との間に速度差を生じる。外側を流れる空気が、ヘッドの後方に到達した時点で、負圧ゾーンに滞留していた空気が引っ張られて合流し、該部分における空気の速度が速くなり、その勢いでラフ(芝)を切り、抵抗を低減する。窪み５は、ソール面４の前半部分で押されていたラフが逃げる空間としても機能し、ラフとの摩擦抵抗を軽減する作用もある。また、突条10は、クラブヘッドの動きのガイドとしても機能し、正確なショットを行う上において効果的である。
【００１５】
図４ないし図７に示す実施形態のウッドクラブヘッドは、金属製のクラブヘッドであって、図７に示すようにヘッド本体７の前面にフェース部材８を、底面にソール部材９をそれぞれ装着して中空に形成している。フェース面１の下端部は、リーディングエッジ２となるものであるが、リーディングエッジ２はソール部材９の前端に形成している。すなわちソール部材９は、その前端縁をフェース部材８のフェース面１よりも前方に突出させるともに、凹溝３を形成することによって、リーディングエッジ２をロフト角度αよりも鋭角であるエッジ角度βである翼形状に形成している。なお、図４ないし図５に示す実施形態では、リーディングエッジ２をロフト角度αよりも鋭角であるエッジ角度βである翼形状に形成しているが、凹溝３を形成せずに前方に突出させることによってのみ鋭角のリーディングエッジを形成することもできる。
図４ないし図７に示す実施形態においては、ヘッド本体７、フェース部材８及びソール部材９の三つの部材によってクラブヘッドを構成しているが、ヘッド本体７とフェース及びソールのニ部材で構成することができることは、図１ないし図３に示す実施形態の場合と同様である。
【００１６】
フェース面１よりも前方に突出するリーディングエッジ２は、フェース面１の幅方向のほぼ中心位置において大きく前方に突出し、両サイドのトー側及びヒール側のフェース面に収斂するラッセル形状、すなわち図５及び図６から理解されるように三角形の翼形状に形成している。さらに、ソール面６は、その後半部分を低く形成し、低く形成したソール面4aとリーディングエッジ２直上部分に開口する二つの貫通孔６を形成している。また、低く形成したソール面4aには、その頂点が前半のソール面６と連続する高さで複数の突条11，11を形成している。
【００１７】
図４ないし図７に示す実施形態のウッドクラブヘッドでは、三角翼形状すなわち車のスポイラー形状に似たリーディングエッジ２が、スイングの際にヘッドに当たる空気を整流し、しかもラフを掻き分けて進むため、より少ない空気抵抗、ラフ抵抗によるスイングを許容する。換言すればラフに負けずに容易にスイングをすることができる。
【００１８】
低く形成したソール面4aとリーディングエッジ２直上部分に連通するように形成した二つの貫通孔６は、ヘッドのフェース面１に当たる空気の一部を逃がし、全体として空気抵抗を軽減させ、ヘッドのスピードアップに貢献する。そして、リーディングエッジ２で倒された芝は、ソール面後半の低く形成したソール面4a部分において、貫通孔を通過してきた空気の勢いに引っ張られて芝の切れを向上させ、ソール面と芝との摩擦抵抗を低減させる。そのため、クラブヘッドを確実に振り抜くことができる。
【００１９】
その他、低く形成したソール面4aに形成した突条11は、空気の整流効果、芝を梳くようにして抵抗を軽減する効果、スイング時に接する可能性のある芝面においてスイングの軌跡を正常に矯正する効果があり、より正確なショットを行う上で有効に作用するものである。
【００２０】
以上述べたように、本発明に係るゴルフ用ウッドクラブにおいては、従来は困難であったラフからの、正確でより力強いショットを可能とするものであるが、ラフからのショットだけでなく、通常のフェアウェイからのショットに使用する場合においても同様の効果を期待することができるものである。
【図面の簡単な説明】
【００２１】
【図１】図１は、本発明に係る第一の実施形態を示すゴルフ用ウッドクラブヘッドの斜視図、
【図２】図２は、図１に示す実施形態の底面図、
【図３】図３は、図１に示す実施形態の縦断面図、
【図４】図４は、本発明の第二の実施形態を示すゴルフ用ウッドクラブヘッドの斜視図、
【図５】図５は、図４に示す実施形態の平面図、
【図６】図６は、図４に示す実施形態の底面図、
【図７】図７は、図４に示す実施形態の縦断面図である。
【符号の説明】
【００２２】
１…フェース面、  ２…リーディングエッジ、  ３…凹溝、  ４…ソール面、  4a…低く形成したソール面、  ５…窪み、  ６…貫通孔、  ７…ヘッド本体、  ８…フェース部材、  ９…ソール部材、  10，11…突条、  α…ロフト角度、  β…エッジ角度。
【図１】
2005230230.tif 000003
【図２】
2005230230.tif 000004
【図３】
2005230230.tif 000005
【図４】
2005230230.tif 000006
【図５】
2005230230.tif 000007
【図６】
2005230230.tif 000008
【図７】
2005230230.tif 000009